(57)【要約】      （修正有）【課題】オープンルーフ構造をさらに改良すること。【解決手段】車両用オープンルーフ構造であって、車両の不動ルーフ部分３においてルーフ開口部２を備え、前記ルーフ開口部２が、横方向にそれぞれ延在する前方ルーフ開口部縁部４及び後方ルーフ開口部縁部５と、対向して縦方向に延在する２つのルーフ開口部側縁部６と、を備える、オープンルーフ構造が提供される。ルーフ開口部側縁部６並びに前方ルーフ開口部縁部４及び後方ルーフ開口部縁部５から略下方に延在するルーフ開口部フランジが設けられる。不動ルーフパネル８が、ルーフ開口部側縁部６に沿って且つ前方ルーフ開口部縁部４及び後方ルーフ開口部縁部５の一方に沿って延在するパネル縁部を有し、パネル縁部のいくつかの近くには、下方に延在するパネルブラケットが設けられ、パネルブラケットが、対応するルーフ開口部フランジに取り付けられている。【選択図】図１
2015209209.tif 000002
【特許請求の範囲】
【請求項１】
車両の不動ルーフ部分においてルーフ開口部を備える車両用オープンルーフ構造であって、
前記ルーフ開口部が、横方向にそれぞれ延在する前方ルーフ開口部縁部及び後方ルーフ開口部縁部と、対向して縦方向に延在する２つのルーフ開口部側縁部と、を備え、
前記ルーフ開口部側縁部と前記前方ルーフ開口部縁部及び前記後方ルーフ開口部縁部との少なくともいくつかにおいて、それぞれの前記ルーフ開口部側縁部並びに前記前方ルーフ開口部縁部及び前記後方ルーフ開口部縁部から略下方に延在するルーフ開口部フランジが設けられ、前記オープンルーフ構造が、不動ルーフパネルであって、前記ルーフ開口部側縁部と隣接し、前記前方ルーフ開口部縁部及び前記後方ルーフ開口部縁部の一方と隣接し、且つ前記ルーフ開口部の一部を恒久的に閉鎖する、不動ルーフパネルと、前記ルーフ開口部の残りを開閉するための可動パネルと、をさらに備え、
さらに前記ルーフ開口部側縁部の近く及び下の領域では、縦方向に延在するガイドが設けられ、
前記ルーフ開口部の前記残りを閉鎖する閉鎖位置と、前記不動ルーフパネルの略下の開放位置と、の間で前記可動パネルを移動させるために前記ガイド及び前記可動パネルと協働するように構成された移動機構が、設けられ、
前記不動ルーフパネルが、前記ルーフ開口部側縁部に沿って且つ前記前方ルーフ開口部縁部及び前記後方ルーフ開口部縁部の一方に沿って延在するパネル縁部を有し、前記パネル縁部のいくつかの近くには、下方に延在するパネルブラケットが設けられ、前記パネルブラケットが、対応するルーフ開口部フランジに取り付けられていることを特徴とするオープンルーフ構造。
【請求項２】
前記ルーフ開口部側縁部において、ルーフ開口部フランジが設けられ、
前記不動ルーフパネルが、前記ルーフ開口部側縁部に沿って延在するそのパネル側縁部において、前記ルーフ開口部フランジに取り付けられた、下方に延在するパネルブラケットを備えていることを特徴とする請求項１に記載のオープンルーフ構造。
【請求項３】
前記パネルブラケットが、ボルト又はネジのような取付部材によって前記ルーフ開口部フランジに取り付けられ、
前記取付部材が、前記ガイドを前記ルーフ開口部フランジに取り付けるようにも構成されていることを特徴とする請求項１に記載のオープンルーフ構造。
【請求項４】
前記パネルブラケット及び前記ルーフ開口部フランジには、前記取付部材を受けるための取付孔が設けられ、
前記パネルブラケット及び前記ルーフ開口部フランジの少なくとも１つの前記取付孔が、前記取付部材の位置を調節することを可能とするために特大のサイズとされていることを特徴とする請求項３に記載のオープンルーフ構造。
【請求項５】
前記取付孔が、周囲が完全に閉鎖されていることを特徴とする請求項４に記載のオープンルーフ構造。
【請求項６】
前記取付孔が、取付部材を開放側からスライドさせることを可能にする開放側を有していることを特徴とする請求項４に記載のオープンルーフ構造。
【請求項７】
前記取付孔が、前記開放側から内側にそれ、例えば略Ｖ字状であることを特徴とする請求項６に記載のオープンルーフ構造。
【請求項８】
前記ルーフ開口部フランジの前記取付孔が、特大のサイズとされていることを特徴とする請求項４に記載のオープンルーフ構造。
【請求項９】
同じ前記パネル側縁部と関連する前記パネルブラケットが、単一の細長いパネルブラケットを規定するために相互接続されていることを特徴とする請求項１に記載のオープンルーフ構造。
【請求項１０】
同じ前記パネル側縁部と関連する前記パネルブラケットが、互いから分離されていることを特徴とする請求項１に記載のオープンルーフ構造。
【請求項１１】
前記単一の細長いパネルブラケットが、上方開放集排水チャネルを規定するように成形され、前記上方開放集排水チャネルが、前記ルーフ開口部側縁部と、対応するパネル側縁部と、の間の境界の下で縦方向に延在していることを特徴とする請求項９に記載のオープンルーフ構造。
【請求項１２】
協働するパネル側縁部とルーフ開口部側縁部との間には、シールが設けられ、前記シールが、前記パネルブラケットと前記ルーフ開口部フランジとの間で追加的なシールを規定する下方延長部を有し、且つ上方開放集排水チャネルを規定するように成形され、前記上方開放集排水チャネルが、前記ルーフ開口部側縁部と、対応するパネル側縁部と、の間の境界の下で縦方向に延在していることを特徴とする請求項１に記載のオープンルーフ構造。
【請求項１３】
前記パネルブラケットが、取付部材によって前記ルーフ開口部フランジに取り付けられ、且つ前記ルーフ開口部フランジからの前記取付部材の最大寸法と少なくとも同じくらい大きい前記ルーフ開口部フランジからの間隔を有する、前記取付部材の間でのパネルブラケット部分を規定するために縦方向において起伏させられていることを特徴とする請求項９に記載のオープンルーフ構造。
【請求項１４】
前記可動パネルには、前記閉鎖位置において前記ルーフ開口部側縁部と係合するために包囲シールが設けられ、
前記ルーフ開口部フランジ及び前記パネルブラケットの寸法と、前記取付部材の位置と、が、前記可動パネルのシールが、前記可動パネルがその開放位置にあるときに、前記取付部材と同じレベルにないように構成されていることを特徴とする請求項３に記載のオープンルーフ構造。
【請求項１５】
前記ガイドが、さらに、集排水チャネルを規定するように成形され、前記集排水チャネルが、前記ルーフ開口部側縁部と、対応するパネル側縁部と、の間の境界の下で縦方向に延在していることを特徴とする請求項１に記載のオープンルーフ構造。
【請求項１６】
各ガイドが、少なくとも１つの補助留め具に取り付けられ、前記補助留め具が、前記ルーフ開口部フランジから、前記ルーフ開口部から離れるように外側に延在していることを特徴とする請求項１に記載のオープンルーフ構造。
【請求項１７】
前記少なくとも１つの補助留め具が、前記ルーフ開口部フランジに取り付けられ且つ前記不動ルーフ部分に向かって略上方に延在する内側部分と、略水平に延在する中間部分と、再び略内側に延在し且つそれ自身に前記ガイドを取り付けた外側部分と、を有していることを特徴とする請求項１６に記載のオープンルーフ構造。
【請求項１８】
前記補助留め具の前記外側部分と前記内側部分との間で直接的に延在する強化留め具が、設けられていることを特徴とする請求項１７に記載のオープンルーフ構造。
【請求項１９】
前記補助留め具の前記中間部分が、前記不動ルーフ部分と直接的に、又は追加的部品を通じて間接的に係合していることを特徴とする請求項１７に記載のオープンルーフ構造。
【請求項２０】
前記不動パネルが、前記前方ルーフ開口部縁部又は前記後方ルーフ開口部縁部に沿って延在するそのパネル縁部の近くに、前記前方ルーフ開口部縁部又は前記後方ルーフ開口部縁部に設けられた対応するルーフ開口部フランジに取り付けられた、少なくとも１つの下方に延在するパネルブラケットを備えていることを特徴とする請求項１に記載のオープンルーフ構造。
【発明の詳細な説明】
【技術分野】
【０００１】
本発明の態様は、車両の不動ルーフ部分においてルーフ開口部を備える車両用オープンルーフ構造であって、前記ルーフ開口部が、横方向にそれぞれ延在する前方ルーフ開口部縁部及び後方ルーフ開口部縁部と、対向して縦方向に延在する２つのルーフ開口部側縁部と、を備え、前記ルーフ開口部側縁部と前記前方ルーフ開口部縁部及び前記後方ルーフ開口部縁部との少なくともいくつかにおいて、それぞれのルーフ開口部側縁部並びに前方ルーフ開口部縁部及び後方ルーフ開口部縁部から略下方に延在するルーフ開口部フランジが設けられ、オープンルーフ構造が、不動ルーフパネルであって、前記ルーフ開口部側縁部と隣接し、前記前方ルーフ開口部縁部及び前記後方ルーフ開口部縁部の一方と隣接し、且つルーフ開口部の一部を恒久的に閉鎖する、不動ルーフパネルと、ルーフ開口部の残りを開閉するための可動パネルと、をさらに備え、さらにルーフ開口側縁部の近く及び下の領域では、縦方向に延在するガイドが設けられ、ルーフ開口部の残りを閉鎖する閉鎖位置と、不動ルーフパネルの略下の開放位置と、の間で可動パネルを移動させるために前記ガイド及び可動パネルと協働するように構成された移動機構が設けられる、オープンルーフ構造に関する。
【背景技術】
【０００２】
このようなオープンルーフ構造では、不動ルーフパネルが、例えば、不動となるように不動ルーフ部分に貼付され且つ（上面が）不動ルーフ部分（の上面）と同一平面となるように延在するガラスパネルを備えている。また、その閉鎖位置では、可動パネル（の上面）が、通常、不動ルーフ部分（の上面）と同一平面となるように延在する。ガイドが、フランジ、又は車両の別の不動部分に取り付けられる。
【発明の概要】
【発明が解決しようとする課題】
【０００３】
本発明の目的は、上記のオープンルーフ構造をさらに改良することである。
【課題を解決するための手段】
【０００４】
本発明の一側面によれば、不動ルーフパネルが、ルーフ開口部側縁部に沿って且つ前方ルーフ開口部縁部及び後方ルーフ開口部縁部の一方に沿って延在するパネル縁部を有し、パネル縁部のいくつかの近くには、下方に延在するパネルブラケットが、設けられ、パネルブラケットが、対応するルーフ開口部フランジに取り付けられている。
【０００５】
従って、ルーフ開口部フランジは、不動ルーフパネルを固定するためにも使用され、そのために追加的な部材が設けられる必要がない。これは、オープンルーフ構造の構成部材の複雑性及び数を最小限にとどめると同時に、効率的な方式であるにもかかわらず不動ルーフ部分をシンプルに取り付けることを可能にする。
【０００６】
本発明の一側面では、ルーフ開口部側縁部に、ルーフ開口部フランジが設けられ、不動ルーフパネルが、ルーフ開口部側縁部に沿って延在するそのパネル側縁部において、ルーフ開口部フランジに取り付けられた、下方に延在するパネルブラケットを備えている。このような一実施形態では、不動ルーフと不動パネルとの間の接続は、ルーフ開口部側縁部で生じる。
【０００７】
本発明の別の側面では、パネルブラケットが、ボルト又はネジのような取付部材によってルーフ開口部フランジに取り付けられ、前記取付部材が、前記ガイドをルーフ開口部フランジに取り付けるようにも構成されている。
【０００８】
これは、極めて迅速且つシンプルな取り付けプロセスを可能にする。しかしながら、また、（例えばメンテナンス又は修理のための）取り外しが、このような方式で極めて容易になる。
【０００９】
本発明の一側面では、パネルブラケット及びルーフ開口部フランジには、取付部材を受けるための取付孔が設けられ、パネルブラケット及びルーフ開口部フランジの少なくとも１つの取付孔が、取付部材の位置を調節することを可能とするために特大のサイズとされている。
【００１０】
このよう調節は、例えば製造交差を補償するため且つ長期の使用後の摩耗を補償するために必要とされる。
【００１１】
そして、前記取付孔は、周囲が完全に閉鎖されることが考えられる。これは、取付部材が調節を可能にするために損失した場合に、組み立てられた部分が互いから完全に係合解除されることを防止する。
【００１２】
事前に構造の一部（例えば取付部材）を部分的に組み立てることを可能にする代替案として、前記取付孔は、取付部材を開放側からスライドすることを可能にする開放側を有している。
【００１３】
前記開放側から取付部材をスライドさせるプロセスは、前記取付孔が開放側から内側にそれ且つ例えば略Ｖ字状である場合に向上される。
【００１４】
本発明の一側面では、ルーフ開口部フランジの取付孔が特大のサイズとされるときに十分であるが；これは、代わりに（又は追加的に）パネルブラケットの取付孔が特大のサイズとされる可能性を排除しない。
【００１５】
同じパネル側縁部と関連するパネルブラケットが、単一の細長いパネルブラケットを規定する（従って縦方向において途切れずに延在する）ために相互接続されるか、又は同じパネル側縁部と関連するパネルブラケットが互いから分離されることが、可能である。
【００１６】
単一の（途切れない）パネルブラケットが設けられる場合、パネルブラケットは、上方開放集排水チャネルを規定するように成形され、上方開放集排水チャネルが、ルーフ開口部側縁部と、対応するパネル側縁部と、の間の境界の下で縦方向に延在してもよい。従って、パネルブラケットは、このような集排水チャネルの機能をさらに実行し、独立したチャネルの必要性を排除する。
【００１７】
本発明のさらなる一側面では、協働するパネル側縁部とルーフ開口部側縁部との間には、シールが設けられ、シールが、パネルブラケットとルーフ開口部フランジとの間で追加的なシールを規定する下方延長部を有し、且つ上方開放集排水チャネルを規定するように成形され、上方開放集排水チャネルが、ルーフ開口部側縁部と、対応するパネル側縁部と、の間の境界の下で縦方向に延在する。これは、（理論的には、極めて安全なシールを保証するために双方の解決法を組み合わせることも可能であるが）上述した実施形態の代替案である。
【００１８】
本発明の別の側面によれば、パネルブラケットが、取付部材によってルーフ開口部フランジに取り付けられ、且つ前記ルーフ開口部フランジからの取付部材の最大寸法と少なくとも同じくらい大きいルーフ開口部フランジからの間隔を有する、取付部材の間でのパネルブラケット部分を規定するために縦方向において起伏させられている。可動パネルが不動ルーフパネルの下方で移動するとき、（縦方向に延在する）その側縁部が、取付部材（例えばパネルブラケットから内側に突出するボルトのヘッド）に沿って移動し、且つそれにより損傷する可能性がある（ほとんどの場合において、可動パネルの前記側縁部には、脆弱であり、且つしばしばむしろ鋭利である上記ヘッドの縁部と接触するときに裂ける可能性があるシールが設けられている）。起伏パネルブラケットを設けることによって、取付部材の間のブラケット部分は、取付部材の突出部分との接触を防ぐ可動パネルのこのような側縁部（又はその上のシール）のガイドを規定する。
【００１９】
本発明の代わりの一側面では、可動パネルには、閉鎖位置においてルーフ開口部側縁部と係合するために包囲シールが設けられ、ルーフ開口部フランジ及びパネルブラケットの寸法と、取付部材の位置と、が、可動パネルのシールが、可動パネルがその開放位置にあるときに、取付部材と同じレベルにないように構成されている。
【００２０】
ガイドが、さらに、集排水チャネルを規定するように成形され、集排水チャネルが、ルーフ開口部側縁部と、対応するパネル側縁部と、の間の境界の下で縦方向に延在することが可能である。
【００２１】
多くの場合、ガイドは、ルーフ開口部フランジに直接取り付けられるが、各ガイドが、少なくとも１つの補助留め具に取り付けられ、補助留め具が、ルーフ開口部フランジから、ルーフ開口部から離れるように外側に延在していることも考えられる。このような一実施形態は、例えば、ガイドが、パネル側縁部とルーフ開口部側縁部との間の境界の真下に位置決めされなければならない集排水チャネルを規定するときに使用される。
【００２２】
このような少なくとも１つの補助留め具が、ルーフ開口部フランジに取り付けられ且つ不動ルーフ部分に向かって略上方に延在する内側部分と、略水平に延在する中間部分と、再び略内側に延在し且つそれ自身にガイドを取り付けた外側部分と、を有してもよい。
【００２３】
構造の安定性及び強度を向上させるために、補助留め具の内側部分と外側部分との間で直接的に延在する強化留め具が、設けられてもよく；補助留め具の中間部分は、直接的に、又は追加的部品（例えばゴム部品）を通じて間接的に不動ルーフ部分と係合する。
【００２４】
最後に、本発明のさらに別の一側面では、不動パネルが、前方ルーフ開口部縁部又は後方ルーフ開口部縁部に沿って延在するそのパネル縁部の近くに、前記前方ルーフ開口部縁部又は後方ルーフ開口部縁部に設けられた対応するルーフ開口部フランジに取り付けられた、少なくとも１つの下方に延在するパネルブラケットを備えている。結果として、不動パネルは、その側部の３つ（不動ルーフパネルがルーフ開口部の最前部又は最後部に位置決めされるかどうかに応じて２つの側縁部及び前縁部もしくは後縁部）で不動ルーフ部分に取り付けられる。
【００２５】
以下では、本発明の態様が、図面を参照しながら説明される。
【図面の簡単な説明】
【００２６】
【図１】本発明によるオープンルーフ構造が設けられた車両のイメージを示す。
【図２】拡大されたスケールで図１における符号ＩＩ−ＩＩによる断面図を示す。
【図３】取付孔の２つの異なる実施形態を示す。
【図４】図２に対応する、異なる実施形態の断面図を示す。
【図５】図２に対応する、異なる実施形態の断面図を示す。
【図６】図２に対応する、異なる実施形態の断面図を示す。
【図７】図６における符号ＶＩＩ−ＶＩＩによる断面図を示す。
【図８】図２に対応する、異なる実施形態の断面図を示す。
【図９】図２に対応する、異なる実施形態の断面図を示す。
【発明を実施するための形態】
【００２７】
まず、図１及び図２を参照すると、本発明によるオープンルーフ構造が設けられた車両１の一部が示されている。前記オープンルーフ構造は、車両１の不動ルーフ部分３においてルーフ開口部２を備えている。ルーフ開口部２は、横方向にそれぞれ延在する前方ルーフ開口部縁部４及び後方ルーフ開口部縁部５と、対向して縦方向に延在する２つのルーフ開口部側縁部６と、を備えている。
【００２８】
図２からはっきりと分かるように、それぞれのルーフ開口部側縁部６から略下方に（本実施形態では若干内側にも）延在するルーフ開口部フランジ７が、前記ルーフ開口部側縁部６に設けられている。
【００２９】
オープンルーフ構造は、後方ルーフ開口部縁部５と隣接し且つルーフ開口部２の最後部を恒久的に閉鎖する不動ルーフパネル８と、ルーフ開口部２の残りの最前部を開閉するための可動パネル９と、をさらに備えている。不動ルーフパネル８はガラスパネルであってもよく、可動パネル９もガラスパネルであってもよい。不動ルーフパネル８のパネル側縁部１０には、ルーフ開口部の対応する縁部４，５又は６と少なくとも係合するためのシール１１が設けられている。同様に、可動パネル９には、シール１２が設けられてもよい（図８参照）。
【００３０】
ルーフ開口部側縁部６の近く及び下の領域では、縦方向に延在するガイド１３が設けられ、ガイド１３は前記ルーフ開口部フランジ７に取り付けられ、さらなる移動機構１４が設けられ（図１において一方側においてのみ概略的に示される）、移動機構１４は、（図１において実線で示される）ルーフ開口部２の残りを閉鎖する閉鎖位置と、（図１において破線９’で概略的に示される）不動ルーフパネル８の略下の開放位置と、の間で可動パネル９を移動させるために（それ自体が公知な方式で）前記ガイド１３及び可動パネル９と協働するように構成されている。
【００３１】
再び図２を参照すると、ルーフ開口部側縁部６に沿って延在する不動ルーフパネル８のパネル側縁部１０の近くでは、下方に延在するパネルブラケット１５が設けられ、パネルブラケット１５は、（本発明に関連しない）任意の公知な方式で前記不動ルーフパネル８に、且つ例えばボルト又はネジのような取付部材１６によってルーフ開口部フランジ７に、取り付けられている。前記取付部材１６は、前記ガイド１３をルーフ開口部フランジ７に取り付けるようにも構成されている。
【００３２】
取付部材１６を受けるために、パネルブラケット１５及びルーフ開口部フランジ７には、取付孔１７，１８が設けられる（図３においてルーフ開口部フランジ７に対してのみ示される）。パネルブラケット１５及びルーフ開口部フランジ７の少なくとも一方の取付孔１７，１８は、取付部材１６の位置を調節すること、従って不動ルーフ部分３に対する不動ルーフパネル８の位置を調節することを可能とするために特大のサイズとされている。
【００３３】
図３は、ルーフ開口部フランジ７において特大のサイズとされた取付孔の２つの実施形態を示している。取付孔１７は、周囲が完全に閉鎖され、このため、取付部材１６は、調節を可能とするために緩められるが、損失することがない。しかしながら、取付孔１８は、開放側を有し（前記取付孔が、例えば開放側から内側にそれ、且つ例えば略Ｖ字状である）、取付部材１６が、取付部材１６を完全に取り外す必要なく（例えばナット１９を完全に螺合解除する必要なく）前記開放側からスライドすることを可能にする。これは、例えば、取付部材１６をパネルブラケット１５上に前もって据え付け、続いて取付部材１６のシャフトを開放取付孔１８内にガイドする間に、不動ルーフパネル８をその所定の位置にスライドさせることを可能にする。
【００３４】
ルーフ開口部フランジ７の縦方向の延長に沿って、通常、複数の取付部材１６が設けられる。各取付部材１６のために、不動ルーフパネル８は、独立したパネルブラケット１５を備えてもよいが、同じパネル側縁部１０と関連するパネルブラケット１５が単一の細長いパネルブラケットを規定するために相互接続されることも考えられる。
【００３５】
図４は、実際にこのような単一の細長いパネルブラケット１５が各縦パネル側縁部１０に設けられる一実施形態を示している。この単一の細長いパネルブラケット１５は、上方開放集排水チャネル２０を規定するように成形され、上方開放集排水チャネル２０は、ルーフ開口部側縁部６と、対応するパネル側縁部１０と、の間の境界の下で縦方向に延在する。
【００３６】
図５では、協働するパネル側縁部１０とルーフ開口部側縁部６との間にシール１１が設けられる別の実施形態が、図示され、シール１１は、パネルブラケット１５とルーフ開口部フランジ７との間に追加的シールを規定する下方延長部２１を有し、且つ上方開放集排水チャネル２２を規定するように成形され、上方開放集排水チャネル２２は、ルーフ開口部側縁部６と、対応するパネル側縁部１０と、の間の境界の下で縦方向に延在する。当然ながら、このようなシール形態は、図４に従って成形されたパネルブラケット１５と組み合わせられ、フェイルセーフシール装置を作り出してもよい。
【００３７】
また、図６及び図７では、パネルブラケットは、取付部材１６によってルーフ開口部フランジ７に取り付けられた不動ルーフパネル８の双方のパネル側縁部１０において単一の細長いパネルブラケット１５に組み合わせられる。ブラケット１５は、前記ルーフ開口部フランジ７からの取付部材１６の最大寸法２４と少なくとも同じくらい大きいルーフ開口部フランジ７からの間隔２３を有する、取付部材１６の間でのパネルブラケット部分１５’を規定するために縦方向において起伏させられる。結果として、これらパネルブラケット部分１５’は、可動パネルが不動ルーフパネル８の下に移動するときに可動パネル９の縦側縁部（又はその上に設けられたシール１２）をガイドするための（ガイド経路２５を規定する）ガイド面として作用する。従って、これら側縁部又はシールは、取付部材１６によって不利益な方式で係合されない。
【００３８】
このような結果を達成するための別の方式は、図８に図示されている。この実施形態では、可動パネル９には、閉鎖位置で対応するルーフ開口部縁部４，６（及び不動ルーフパネル８の前縁部）と係合するための包囲シール１２が設けられている。ルーフ開口部フランジ７及びパネルブラケット１５の寸法と、取付部材１６（及びそのための孔）の位置と、は、可動パネル９が不動ルーフパネル８の下のその開放位置にあるときに、可動パネル９のシール１２が、取付部材１６と同じレベルにない（この特別な場合には取付部材１６の上にある）ように決定される。パネルブラケット１５は、起伏させられる必要がない。
【００３９】
図８は、ガイド１３が、集排水チャネル２６を規定するように成形されることをさらに示し、集排水チャネル２６は、ルーフ開口部側縁部６と、対応するパネル側縁部１０と、の間の境界の下で縦方向に延在する。再び、このようなチャネル２６が、上述したチャネル２０又は２２と組み合わせられてもよい。
【００４０】
この実施形態では、各ガイド１３は、追加的取付部材２８により、少なくとも１つの補助留め具２７（その連なり又は単一の複合留め具）に取り付けられ、補助留め具２７は、ルーフ開口部フランジ７から、ルーフ開口部２から離れるように、外側に延在している。図示された実施形態では、少なくとも１つの補助留め具２７が、取付部材１６によってルーフ開口部フランジ７に取り付けられ且つ不動ルーフ部分３に向かって略上方に延在する内側部分２９と、略水平に延在する中間部分３０と、再び略内側に延在し且つ追加的取付部材２８によりそれ自身にガイド１３を取り付けた外側部分３１と、を有している。補助留め具１５の中間部分３０は、例えばゴムから形成された追加的部品３２を通じて不動ルーフ部分３と間接的に係合する。しかしながら、例えば、中間部分３０が溶接、リベット打ち又は他の方式によって不動ルーフ部分３に取り付けられる場合には直接的な係合も可能である。これは、構造の安定性を付加する。
【００４１】
最後に、図９は、図８の実施形態と極めて類似する実施形態を示すが、図９では、補助留め具２７の中間部分３０が、不動ルーフ部分３と係合しない。代わりに、強化留め具３４が設けられ、強化留め具３４は、補助留め具２７の外側部分３１と内側部分２９との間で直接的に延在し、且つ取付部材１６及び追加的取付部材２８に接続されている。さらに、外側部分３１が（例えば車両１の不動部分に取り付けられるために）延長されていることが分かる。
【００４２】
図８及び図９は、それ自体が公知の方式で移動機構４と協働し且つこのような機構のための駆動ケーブルを収納してもよいガイドチャネル３３をさらに図示している。
【００４３】
本発明は、上述した実施形態に限定されず、特許請求の範囲によって規定されるような本発明の範囲内で広く変更されてもよい。
【符号の説明】
【００４４】
１  車両、２  ルーフ開口部、３  不動ルーフ部分、４  前方ルーフ開口部縁部、５  後方ルーフ開口部縁部、６  ルーフ開口部側縁部、７  ルーフ開口部フランジ、８  不動ルーフパネル、９  可動パネル、１０  パネル縁部、１１  シール、１２  包囲シール、１３  ガイド、１４  移動機構、１５  パネルブラケット、１５’  パネルブラケット部分、１６  取付部材、１７，１８  取付孔、２０  上方開放集排水チャネル、２１  下方延長部、２２  上方開放集排水チャネル、２３  間隔、２４  最大寸法、２６  集排水チャネル、２７  補助留め具、２９  内側部分、３０  中間部分、３１  外側部分、３２  追加的部品、３４  強化留め具
【図１】
2015209209.tif 000003
【図２】
2015209209.tif 000004
【図３】
2015209209.tif 000005
【図４】
2015209209.tif 000006
【図５】
2015209209.tif 000007
【図６】
2015209209.tif 000008
【図７】
2015209209.tif 000009
【図８】
2015209209.tif 000010
【図９】
2015209209.tif 000011
【外国語明細書】
2015209209000001.pdf